Podtech/llm-jp-corpus-v4-ja_patent huggingface dataset:
(57)【要約】【目的】個室におけるベット・スペースを立体的に有効活用する家具に関するものである。【構成】本発明は、ベットを収納できるキヤビネット形成し、同キャビネットの天板表面の一部を記帳台として使用する構造の家具。【選択図】図２
2005342461.tif 000002
【特許請求の範囲】
【請求項１】
ベットの頭部と足部とこの両者に繋がる背部の三方を囲み、これに上蓋をしたキャビネットの天板表面が記帳台となるよう形成したベット収納デスク。
【請求項２】
請求項１の天板の一部を横に屈折可能とし、後方に押し曲げることにより天井の一部分を開きキャビネット内部を開放状態としうるベット収納デスク。
【発明の詳細な説明】
【発明の詳細な説明】
【技術分野】
【０００１】  本発明は、デスクとベットを収納するキャビネットとを一体構造とする家具に関するものである。
【背景技術】
【０００２】  個室において通常使用される家具として、まずベットとデスクがあげられる。このいづれもは限られた広さの室内で占めるスペースの比率が高く、さらには、室内の柱・ドアなどの構造条件によっては、その扱いが居住性の良否を左右するものである。
また、デスク・ワークのＩＴ化による変化が、その所要スペースの拡張をもたらしている。そして、ベットとデスクはそれぞれ必要とする使用時間帯が昼夜に分かれているため、スペースの使い分けが可能となる。
【発明が解決しようとする課題】
【０００３】  住宅における就寝具には、ベットが多く使われている。とくに、スペースが限られる個室では、ベットの占める広さとその置き場所が、部屋の使い勝手の良し悪しを左右する。
例えば、マンションにおける個室は平均して５乃至６帖のところが多く、この中にあってベットが２ｍ２、デスクが１ｍ２の合計約３ｍ２程度を占有することとなる。
そして、室内で広いスペースを占める割りに、昼間時間帯の利用度合いが低く、このベット・スペースを立体的にデスクと一体化して、個室のスペースに余裕をもたらせようとするものである。これは、特に都会居住者にとって経済的効果をもたらすものである。
さらに、昨今個人レベルにおいても、ＩＴの普及にともない関連の機器類、用具、書類等の保管スペースが必要となりつつあり、これは複数のデスクあるいはデスク・スペースの拡張につながってくる。本案は、このデスクの大型化の傾向にも寄与するものである。
【課題を解決するための手段】
【０００４】  本発明はベットの頭部と足部の外側にそれぞれ側板２と、また背面に背板３をコの字形に配して、これに天板１を固定することにより、ベットを収納するキャビネットを形成する。このキャビネットの天板の表面は記帳台としての使用に供する高さと仕上げとする。
また、本発明は天板の一部分を横に折り曲げる構造とし、天板後部の左右に上置ラック５を据え付ける。折り曲げられた天板はこの上置きラックに係留する。
【発明を実施するための最良の形態】
【０００５】  昼間時、ベットはキャビネットの正面より横移動で内部に納める。就寝する際はキャビネットよりベットを引き出して使用する。この際、キャビネットの正面のスペースの余裕度合いにより、ベットは一部分または全部移動する。ベットにはキャスターを取りつける。更には、駆動装置を取り付けることにより、自動化による出し入れが可能となる。
天板の一部を曲折構造とする場合、折り曲げられた天板は天板後部の左右に据え付けられた上置きラックに留める。天板を後方に引き寄せるとキャビネト内部が開放されるので、ベットは収納のまま就寝が可能となる。この場合にベットの高さはなるべく低いものとする。
天板の後背部分には、パソコン、プリンター、モデム等のＩＴ機器類を並列して設置するに十分なスペースがある。そして、その両脇には記録媒体、用紙類、書類、一般文具等々を収納する上置きラックを装備する。同ラックの両端に折り曲げた天板を係留する止め具を備える。
また、これらの荷重に対応して上蓋の補強を施し、キャビネット内部には内装のうえ通風装置、照明の取り付け等によりカプセル仕様となる。
更には、ベットを収納しない場合、キャビネット内にはサイド・チェストを数台置くことにより収納機能を備えた大型デスクとしての利用も可能である。
【発明の効果】
【０００６】  昼間時、ベットはキャビネトに収納されるため、室内全体が生活の空間として活用される。また、ベットが視界から遮蔽されるので、従来寝室模様であった個室が来客にも応じられる居室空間となる。
都会には、ワンルーム・マンションが多く建設されつつあり、これらの限られた個室のスペースをより有効に利用して、ＩＴ化や、デジタル映像・音響等々の現代感覚にあった生活空間への対応の一助と考えられる。
【図面の簡単な説明】
【図１】本発明の正面図
【図２】本発明の斜視図
【図３】本発明の他の実施例の右側面図
【符号の説明】
１は天板
２は側板
３は背板
４は補強材
５は上置きラック
６はベット
【図１】
2005342461.tif 000003
【図２】
2005342461.tif 000004
【図３】
2005342461.tif 000005
(57)【要約】      （修正有）【課題】第３者の歯ブラシと間違えない様にするためと、歯ブラシスタンドを改めて設置する必要がなく、衛生的であるという事を課題とする。【解決手段】コップ１の本体２に付いている取っ手３に筒状の深い穴を開け、底には水切りを目的とした小さい穴を開けて歯ブラシ４を差し込む。【選択図】図１
2005342463.tif 000002
【特許請求の範囲】
【請求項１】
コップ本体の取っ手を歯ブラシが収納できる様に筒状にしたことを特徴とする歯みがき用コップ。
【発明の詳細な説明】
【技術分野】
【０００１】    本発明は、歯みがき時に使用するコップと歯ブラシに関係するものである。
【背景技術】
【０００２】  従来、歯ブラシは、使用後はコップ本体に収納するか歯ブラシスタンドに収納する、もしくは洗面化粧台等に備え付けの歯ブラシスタンドに収納することが多い。歯ブラシスタンドの場合、第３者の歯ブラシと間違える場合もある。
【発明の開示】
【発明が解決しようとする課題】
【０００３】  本発明は、従来の歯ブラシスタンドだと、数人の歯ブラシを差し込んで使用するため、誰の歯ブラシか分からなくなり間違って使用することや、ハブラシの水滴が歯ブラシスタンドの底に溜り衛生的にも良くなく歯ブラシスタンドのスペースを確保する場所にも困る、という欠点をなくすることを課題として考案したものである。
【課題を解決するための手段】
【０００４】  本発明は上記従来の課題を解決するための手段として、コップ（１）と本体（２）の取っ手（３）に歯ブラシ（４）が差し込めることができる様にし、さらには衛生面を考慮して水切り穴（５）を開けた歯みがき用コップ（１）である。
【発明の効果】
【０００５】  本発明は、歯ブラシがコップの取っ手に収納され、第３者の区別が明確であり他者の歯ブラシと間違えることがない。歯ブラシスタンドも必要無く、改めて歯ブラシスタンド設置スペースを確保する必要もなく、歯ブラシをコップの取っ手に差し込むだけなので簡単である。さらに、歯ブラシを差す筒の底には穴が開いていて、水切れも良く衛生的である。旅行にも非常に便利である。
【発明を実施するための最良の形態】
【０００６】本発明の一具体例を、図１〜図２に示す。図に示すコップ（１）の本体（２）より、取っ手（３）が付いており、取っ手（３）は歯ブラシ（４）が収納できるように筒状の深い穴が開いている。その底は歯ブラシ（４）からの水滴が落ちるように水切り穴（５）があけてあり衛生的に考慮されている。
【図面の簡単な説明】
2005342463.tif 000003
図３は本発明の取っ手部の分解図である。【図３】取っ手部の分解図
【符号の説明】
（１）コップ
（２）本体
（３）取っ手
（４）歯ブラシ
（５）水切り穴
【図１】
2005342463.tif 000004
【図２】
2005342463.tif 000005
【図３】
2005342463.tif 000006
(57)【要約】      （修正有）【課題】頸椎牽引をスペースをあまり取らない環境にて、気軽に実行させるための卓上型頸椎牽引器を提供する。【解決手段】頸椎牽引器の脚の部分にクランプ７を設け、電気スタンドを机の縁に設置するのと同じ要領で頸椎牽引器を机に設置し、上方支柱３のフック穴２に頭部拘束具１を取り付けて、体重をコントロールしながら頸椎牽引を行う。【選択図】図１
2005342452.tif 000002
【特許請求の範囲】
【請求項１】
クランプ式固定具を有し固定できる頸椎牽引器。
【請求項２】
クランプ式固定具を有し机もしくはテーブルの縁に固定できる頸椎牽引器。
【請求項３】
クランプ式固定具を有し机もしくはテーブルの縁に固定できる頸椎牽引器で、管理を接続されたパーソナルコンピュータにてもおこなえる頸椎牽引器。
【請求項４】
イ）頭部拘束具を有する。
ロ）前記頭部拘束具を吊り下げる手段を１個以上有する手段を有する構造を有する。
ハ）（ロ）の構造を下方に導き支える手段を有する構造を有する。
ニ）（ハ）の構造を机、テーブルの縁に固定する手段を有する構造を有する。
以上のごとく構成された頸椎牽引器。
【請求項５】
イ）頭部拘束具を有する。
ロ）前記頭部拘束具を吊り下げる手段を１個以上有する手段を有する構造を有する。
ハ）（ロ）の取り付ける手段と前記頭部拘束具の間に緩衝体を有する。
ニ）（ハ）の構造を下方に導き支える手段を有する構造を有する。
ホ）（ニ）の構造を机、テーブルの縁に固定する手段を有する構造を有する。
以上のごとく構成された頸椎牽引器。
【請求項６】
イ）頭部拘束具を有する。
ロ）前記部拘束具をつり下げる紐状部材を懸架する滑車を１個以上有し該紐状部材の吊り角度を変化させる手段を有する構造を有する。
ハ）（ロ）の構造を下方に導き支える手段を有する構造を有する。
ニ）（ハ）の構造を机、テーブルの縁に固定する手段を有する構造を有する。
ホ）前記紐状部材を往復運動させるための動力を有する。
以上のごとく構成された頸椎牽引器。
【請求項７】
イ）頭部拘束具を有する。
ロ）前記部拘束具をつり下げる紐状部材を懸架する滑車を１個以上有し該紐状部材の吊り角度を変化させる手段を有する構造を有する。
ハ）（ロ）の構造を下方に導き支える手段を有する構造を有する。
ニ）（ハ）の構造を机、テーブルの縁に固定する手段を有する構造を有する。
ホ）前記紐状部材を往復運動させるための動力を有する。
ヘ）パーソナルコンピュータによる管理を可能とする。
以上のごとく構成された頸椎牽引器。
【請求項８】
イ）頭部拘束具を有する。
ロ）前記部拘束具をつり下げる紐状部材を懸架する滑車を１個以上有し該紐状部材の吊り角度を変化させる手段を有する構造を有する。
ハ）（ロ）の構造を下方に導き支える手段を有する構造を有する。
ニ）（ハ）の構造を机、テーブルの縁に固定する手段を有する構造を有する。
ホ）前記紐状部材の一端におもりを有する。
以上のごとく構成された頸椎牽引器。
【発明の詳細な説明】
【技術分野】
【００１】本発明は、オフィス環境、ホーム環境で頸椎牽引を容易に実施するための発明である。
【背景技術】
【００２】簡易型の頸椎牽引器は他にも存在するが、ベッドに設置したり、柱に設置したり、ある程度の制約があった。
【発明の開示】
【発明が解決しようとする課題】
【００３】使用環境の制約を減らし日常の生活の中で簡単に実施できる頸椎牽引器を提案する。
【課題を解決するための手段】
【００４】頸椎牽引器の支柱を机やテーブルの縁に固定できるようにする。
【発明の効果】
【００５】机やテーブルの縁を利用するので場所的な制約が少ない。また、支柱自体を電気スタンド等の取り付け台に流用できるので邪魔になることもなく、むしろ、事務環境を改善するのにも役立つ。
【発明を実施するための最良の形態】
【００６】実施例にて説明する。
【実施例１】
【００７】イ）上方支柱（３）に頭部拘束具（１）を取り付けるフック穴（２）を設ける。
ロ）上方支柱（３）を下方に導き支える垂直方向支柱（４）、（５）を設ける。
ハ）垂直方向支柱（４）、（５）は少なくとも一方が中空管で高さ調節が可能となり、固定はネジ（６）で行う。
ニ）垂直方向支柱（５）の下に机の縁に固定するためのクランプ（７）を設ける。
ホ）頭部拘束具（１）をフック穴（２）に取り付ける。
以上の状態で体重をコントロールしながら頸椎牽引を行う。また、頭部拘束具（１）とフック穴（２）の間に緩衝体（９）を設けることにより、ショックが和らげられる。また、通常、牽引器として使用しない場合は、ライト等も設置可能なのでスタンドとして利用できる。
【実施例２】
【００８】イ）上方支柱（３）に頭部拘束具（１）をつり下げるためのワイヤー（１１）を懸架するための滑車（１０）を設け該滑車（１０）にワイヤー（１１）を懸架し該ワイヤ（１１）の一端に頭部拘束具（１）をつなぐ。
ロ）上方支柱（３）を下方に導き支える垂直方向支柱（４）、（５）を設ける。
ハ）垂直方向支柱（４）、（５）は少なくとも一方が中空管で高さ調節が可能となり、固定はネジ（６）で行う。
ニ）垂直方向支柱（５）の下に机の縁に固定するためのクランプ（７）を設ける。
ホ）ワイヤー（１１）の他端を該ワイヤーを往復運動させるための動力源（１２）に接続する。
以上の状態で頸椎牽引を行う。また、原動力の代わりにおもり（１３）を用いることも可能。また、管理をパーソナルコンピュータ（１５）にて行うことも可能。
また、懸架滑車（１０）は複数個設けるか１個を設けそれを移動可能とすることにより、牽引角度を変化させることが可能。
【実施例３】
【００９】上方支柱を支える垂直方向支柱を２本にし、該垂直支柱の間に上方支柱を渡し、該上方支柱の間に頭部拘束具をつり下げ、机前部にクランプにて固定する方法も可能である。
【図面の簡単な説明】
【０１０】
【図１】牽引器の基本構成の側面図。
【図２】ショックを和らげるための緩衝体を使用したところの構成図。
【図３】牽引力源に動力を用いた場合の構成図。
【図４】牽引力源におもりを用いた場合の構成図。
【図５】牽引器の基本構成の正面図（頭部拘束具は割愛）。
【符号の説明】
【０１１】１          頭部拘束具
２          フック取り付け穴
３          上方支柱
４          垂直方向支柱１
５          垂直方向支柱２
６          垂直方向支柱固定ネジ
７          クランプ
８          クランプ固定ネジ
９          緩衝体
１０        懸架滑車
１１        ワイヤー
１２        動力源
１３        おもり
１４        補助滑車
１５        パーソナルコンピュータ
【図１】
2005342452.tif 000003
【図２】
2005342452.tif 000004
【図３】
2005342452.tif 000005
【図４】
2005342452.tif 000006
【図５】
2005342452.tif 000007
(57)【要約】【課題】簡易型赤外線治療器は一般的に平面上へ設置されるタイプが多い。そのため、アームが長く取れない、治療者対象者の治療位置が限定される等の不都合があった。【解決手段】脚部にクランプを設け固定することにより、安定性が増し、アームが長くすることができる。また、机の縁等に設置できるので、設置面が狭くてすむ。よって、治療対象者の場所的制約が少なくなる。【選択図】図１
2005342451.tif 000002
【特許請求の範囲】
【請求項１】
クランプ式固定手段により他の機材や家具に脱着可能とした赤外線治療器。
【請求項２】
クランプ式固定手段により他の機材や家具に脱着可能とした赤外線治療器でクランプ式固定手段に安全装置を有した赤外線治療器。
【請求項３】
屈曲・回転可能な支持具を有し脱着可能なクランプ式固定手段を有した赤外線治療器。
【請求項４】
屈曲・回転可能な支持具を有し脱着可能なクランプ式固定手段を有した赤外線治療器でクランプ式固定手段に安全装置を設けた赤外線治療器。
【請求項５】
クランプ式固定手段により他の機材や家具に取り付け可能とした赤外線治療器において、クランプ部を脱着可能とし平面上への据え付けを可能とした据え付け台への取り付けが可能な赤外線治療器。
【請求項６】
クランプ式固定手段により他の機材や家具に脱着可能とした赤外線治療器でパーソナルコンピュータへの接続を可能とし、管理をパーソナルコンピュータでも行える赤外線治療器。
【発明の詳細な説明】
【技術分野】
【００１】本発明は、簡易型赤外線治療器の設置環境を改良する発明である。
【背景技術】
【００２】簡易型赤外線治療器は長い歴史をもつが床上、畳上に設置し、おまけに安定性をはかるためにアームが短いというスタイルのものが多い。そのために治療者の位置や照射部位の確保にやや難がある。
【発明の開示】
【発明が解決しようとする課題】
【００３】アームを長く伸ばすことを可能とし、同時に設置場所の選択肢を拡大することにより治療者の使用環境を改善する。
【課題を解決するための手段】
【００４】赤外線治療器の脚部にクランプを設ける。
【発明の効果】
【００５】机の縁等に固定できるため設置面積が少なくてすむ。アームを長くできる治療者の位置が拡大できる。また、放射部の患部への移動が容易になる。
【発明を実施するための最良の形態】
【００６】実施例にて説明する。
【実施例】
【００７】赤外線照射部（１）の下に屈曲可能アーム（２）を設け、該屈曲可能アーム部の下にクランプ部（３）を設け机等の縁に固定する。なお、クランプ部内に安全装置（４）を取り付けることにより転倒時の火災等を防ぐことができる。また、アーム部はクランプ部から取り外し可能で、据え付け台（５）に取り付ける形にすることにより、床上、畳上での使用も可能とする。また、パーソナルコンピュータを接続することにより管理をパーソナルコンピュータからおこなうことも可能。
【図面の簡単な説明】
【００８】
【図１】側面図
【図２】正面図
【図３】据え付け台使用時の側面図（脚部のみ）
【図４】据え付け台使用時の正面図（脚部のみ）
【符号の説明】
【００９】１      赤外線照射部
２      アーム部
３      クランプ部
４      安全装置
５      据え付け台
６      パーソナルコンピュータ
【図１】
2005342451.tif 000003
【図２】
2005342451.tif 000004
【図３】
2005342451.tif 000005
【図４】
2005342451.tif 000006
(57)【要約】      （修正有）【課題】  弾性・可塑性を持つ特殊軟性樹脂（ベルテックス  ソフト  ＮＦ）素材で、粘膜面に接する方は柔らかくした、二層構造技術によって、維持、支持安定、疼痛、審美を解決した全軟性入れ歯を提供する。【解決手段】  本発明は、入れ歯の歯肉部１は、通常の硬さの特殊軟性樹脂と粘膜面に接する方２は、より柔らかくした厚さ１ミリ〜２ミリの特殊軟性樹脂による二層構造で、その二層の間にコバルトクロムなどによる網状の強固な補強板３を挟み込む事により咬合圧に十分耐えうるものにした。下部に於いては、より柔らかい素材の為、粘膜に密接に吸着し義歯全体を安定させ、あらゆるアンダーカットを無理なく使え、義歯の脱着を容易にし、審美的にも向上させた。【選択図】  図１
2005342460.tif 000002
【特許請求の範囲】
【請求項１】
本発明は、入れ歯の歯肉部は、通常の硬さの特殊軟性樹脂（ベルテックスソフトＮＦ）（図−１▲１▼）と粘膜面に接する方（図−１▲２▼）は、より柔らかくした厚さ１〜２ミリの特殊軟性樹脂（ベルテックス  ソフト  ＮＦ）による二層構造で、その二層の間にコバルトクロムなどによる網状の強固な補強板（図−１▲３▼）を挟み込む事により咬合圧に十分耐えうるものにした二層構造を特徴とする入れ歯である。
【発明の詳細な説明】
【発明の詳細な説明】
【技術分野】
【０００１】  本発明は、歯科医療分野における、有床義歯（局部床義歯、及び全部床義歯）の弾性、可塑性を備えた義歯床材料に関する。
【背景技術】
【０００２】  従来の義歯は、床全体すべてが強固な素材（レジン系、スルホン系など）で、出来ている為、交合時に安定を損ない、全部床上顎義歯に於いては、空気が入る事により吸着を損なう原因となる。義歯粘膜面に裏打ちする（リベース）も、床の吸着に於いて同じである。部分床に於いては、鉤歯に負担をかけ鉤歯の寿命を縮める原因となっている。ポリエチレン系軟性一体型義歯は粘膜面に対して適度な柔らかさをもたない為、疼痛、安定、吸着性に於いても完全ではない。
【発明が解決しようとする課題】
【０００３】    これはつぎのような欠点があった。
床全体が強固な素材だった為に、アンダーカット部が使えず無理に使うと粘膜面を傷き、疼痛を伴った。前歯部に於いては、アンダーカットの下部まで使えず、歯茎との移行部が目立ち審美的にも良くなかった。また  内面を軟性樹脂で覆うリベースとゆう技術に於いても、大きなアンダーカットでは、強固な外殻部の為に完全に補うことができなかった。ポリエチレン系軟性一体型義歯は、粘膜面に対して適度な柔らかさをもたない為、疼痛、安定、吸着性に於いても、完全ではない。本発明は、以上のような欠点を無くす為に、床全てに軟性樹脂を使い、粘膜面に接する方をより柔らかくした、新しい発想の二層構造技術からできたものである。
【課題を解決するための手段】
【０００４】  本発明は、入れ歯の歯肉部は、通常の特殊軟性樹脂にし、粘膜面に接する方厚さ１ミリ〜２ミリ程度を、より柔らかくした特殊軟性樹脂（ベルテックス  ソフト  ＮＦ）による二層構造にし、二層の間にコバルトクロムなどによる網状の強固な補強板をはさみ込むことにより交合圧に十分耐えうるようにしたものである。二層構造の上部に於いては、適度な弾性により、一歯、一歯が、ショックアブソーバーの働きにより咬合を安定させ、よく噛める。あらゆるアンダーカットを無理なく使え義歯の脱着容易にした。下部に於いては、より柔らかい素材の為、粘膜面に優しく密接に吸着し、義歯全体を安定させる。
【発明を実施するための最良の形態】
【０００５】本発明は、入れ歯の歯肉部は、通常の硬さの特殊軟性樹脂にし、粘膜面に接する方を、厚さ１ミリ〜２ミリ程度を、より柔らかくした、特殊軟性樹脂（ベルテックス  ソフト  ＮＦ）による二層構造にし、その二層の間にコバルトクロムなどの網状の強固な補強板をはさみ込むことにより、交合圧に十分耐えうるようにしたものである。二層構造の上部に於いては、適度な弾性により天然歯に近い動きができ、咬合するため、よく噛める。下部に於いては、より柔らかい素材の為粘膜面に密接に吸着し、義歯全体を安定させる。外層部、内層部全てに軟性素材を使う為、あらゆるアンダーカットを、無理なく使え義歯の密着性が増し義歯の安定、また脱着を容易にした。
【発明の効果】
【０００６】  本発明は、ベルテックス  ソフト  ＮＦ  の特性を最大限に使うことにより、吸着、安定、審美の向上、疼痛を無くすことを解決した。
【図面の簡単な説明】
【図１】本発明の全軟性義歯分解図である
【図２】本発明の全軟性義歯断面図である
【符号の説明】
１      上部（通常の硬さ  ベルテックス  ソフト  ＮＦ）
２      下部（柔らかい  ベルテックス  ソフト  ＮＦ）
３      メッシュプレート
４      人工歯
【図１】
2005342460.tif 000003
【図２】
2005342460.tif 000004
(57)【要約】      （修正有）【課題】ペットボトルのキャップを外した後に残るリングを、カッターナイフを使って切り取ると滑って手に怪我をすることがある。それを防ぐため、ペットボトルのキャップを外した後に残るリングを簡単かつ安全に切り取る用具を提供する。【解決手段】カッターナイフ本体１の下に台座２を設け、台座前部の切込みＣをペットボトルのリングの下に当てがい、上から刃３の部分を押し下げるだけで簡単かつ安全にリングを切り取り易いようにした用具を備えたカッターナイフ。【選択図】図１
2005342454.tif 000002
【特許請求の範囲】
【請求項１】
カッターナイフ本体に溝の付いた穴を設け、その穴に台座に設けた支軸を差込んで使用することを特徴としたカッターナイフ。
【発明の詳細な説明】
【技術分野】
【０００１】  本発明は、ペットボトルのキャップを開けた際、下に残るリング状の物を簡単にかつ安全に取り除く事が出来る用具である。
【背景技術】
【０００２】  キャップを外した後に残るリングは、ペットボトルをリサイクルに出す際必ず取り外さなければならないが、硬くて素手で外すことが出来ず、ナイフ包丁の先で外すにも切り取りにくいものである、又カッターナイフの場合切りり易いが、刃先が切れ過ぎるため滑って手を切ることがあり危険である。
【発明の開示】
【発明が解決しようとする課題】
【０００３】  そのため次のような問題点があった。
カッターナイフ等で切り取る際、刃先が滑ってペットボトルを持つ手に当た怪我をする事がある。
本発明は、以上の問題点を解決するためになされたものである。
【課題を解決するための手段】
【０００４】台座の切り込み部分をペットボトルの口下に当て、カッター刃をリングの上部に当て、カッター本体を親指で上から押し下げるだけで簡単にかつ安全にリングを切り取易いようにした用具である。
【発明の効果】
【０００５】カッターナイフでリングを切り取る際手が滑らないため怪我をする事がない。
【発明を実施するための最良の形態】
【０００６】以下、本発明の実施の形態を説明する。
（イ）台座（２）に支軸（Ａ）を設ける。
（ロ）カッター本体（１）に支軸受け用の切り込み穴（Ｂ）を設ける。
（ハ）台座（２）の先部分をペットボトルの口に合わせて丸く切り込み（Ｃ）を設る。
本発明は、以上の構成によりなっている。
本発明を使用するときは、カッター本体（１）の支軸受け用の穴（Ｂ）に台座（２）に設けた支軸（Ｂ）を差込み、ペットボトルの口下に切り込分Ｃ）を当てがい、カッター本体（１）を指で押し下げてペットボルに残されたリングを切り取る。
この結果、簡単にかつ安全にリングを切り取ることができる。
【図面の簡単な説明】
【０００７】
【図１】  本発明の側面図
【図２】  台座の断面図とカッター本体を外した状態の側面図
【図３】  台座支軸の断面拡大図及びカッター支軸受け穴部分の拡大図
【図４】  本発明の使用状態図
【符号の説明】
【０００８】  １  カッター本体
２  台座
３  カッターの刃
４  キャップを外したペットボトル
５  リング
Ａ  支軸
Ｂ  支軸受け用切り込みを設けた穴
Ｃ  切り込み
【図１】
2005342454.tif 000003
【図２】
2005342454.tif 000004
【図３】
2005342454.tif 000005
【図４】
2005342454.tif 000006
(57)【要約】【課題】  ブラシ部を柄部の軸方向に回転調整可能にした、奥歯の裏側が磨き易い歯ブラシを提供する。【解決手段】  柄部の先端部を屈曲させ、その先端部に柄部を軸方向として回転調整可能な嵌合部を持つことを特徴とする歯ブラシである。【選択図】          図１
2005342459.tif 000002
【特許請求の範囲】
【請求項１】
柄部の先端部を屈曲させ、その先端部に柄部を軸方向として回転調整可能な嵌合部を持つことを特徴とする歯ブラシ。
【発明の詳細な説明】
【技術分野】
【０００１】  本発明は、特に難しいとされる奥歯の内側を磨きやすくする為に、ブラシ部を回頭させることのできる歯ブラシに関するものである。
【背景技術】
【０００２】歯磨きの目的は歯垢の除去であるが、全ての歯の全歯面の歯垢を除去することは非常に難しい。１本の歯について考えても、表側（唇、頬側）の面、噛み合わせ（咬合面側）の面、内側（舌、口蓋側）の面を別々に磨くことになるし、磨き残しの歯がないようにすることを考えると、例えばＵ字型に並んだ歯列に沿って、一番奥の歯から、内側だけをまずＵ字型に磨き進め、次に表側を同様に磨くことが推奨される。
歯ブラシの動かし方は、まず、毛先を磨き残しやすい歯間部や歯頚部に入れることから始まる。ここで、ブラシの植毛部の長辺方向と歯列方向をほぼ平行に当てることで、１度に２，３ヶ所の歯間部に入れることができる。そして、細やかな振動をさせるのであるが、この細やかな振動の主な方向は植毛部の長辺方向、つまり、柄部の長軸方向に行うことが次の場所に移動させることを考えても、手の動かし方の簡単さを考えても合理的である。
また、歯列とブラシ部の長辺方向をほぼ平行に合わせ、１度に２，３ヶ所の歯間部に入れていることで、次の磨くべき歯間部を捜し、移動させやすい。
歯列とブラシ部の長辺方向にずれがあるほど、歯間部に入る確率も小さくなるし、歯面と毛先との接触面積が少なくなり、清掃効率が落ちることからも、歯列とブラシ部の長辺方向はほぼ平行に当てることが望ましい。
このように分析するまでもなく、経験により、歯ブラシの植毛部は略長方形の物が多く作られ、選択されている。
この理論で、歯の表側や、噛み合わせの面では通常の形態のブラシでさほど困難なく行えるが、奥歯の内側では柄部が前歯に当たるために行えない。そこで、奥歯の内側に到達させやすいように、柄部とブラシ部を別々に作り、ブラシ部が自由に回転するものが考えられていた。（例えば特許文献１参照）【０００３】
【特許文献１】特開２００４−１１３３７８
【発明の開示】
【発明が解決しようとする課題】
【０００４】  これは次のような欠点があった。
柄部とブラシ部の間に球状の関節部を用いて自由度をもたせると、実際にはブラシの角を使って細かい部位をねらう、例えばかかと磨きなどが行えなくなり、かえって繊細な歯磨きはできなくなる。たとえ、任意の場所で固定できたとしても多様な角度変化を使いこなすことは実際的ではない。
本発明は、これらの案の歯ブラシや従来型の歯ブラシの欠点を除くためになされたものである。
【課題を解決するための手段】
【０００５】  歯ブラシをブラシ部と柄部に分けて作製する。柄部はブラシ部の近くで屈曲させ、先端部では、ほぼ柄の長軸方向に平行となるようにする。ブラシ部の植毛された側の反対側に、柄の先端部を軸として回転できるように嵌合部を設ける。
【発明の効果】
【０００６】柄を屈曲させることで、ブラシ部が前歯を乗り越え、ブラシ部を横に向けることで奥歯の内側の面に容易に到達する。ブラシ部を左右に横に回頭させることで上下左右の奥歯の内側に応用できる。その他の部位は回頭させずに使用する。
【発明を実施するための最良の形態】
【０００７】  以下、本発明の実施の形態について説明する。
柄部とブラシ部を分けて作製する。
柄部のブラシ部に近い側（１）で屈曲させ、先端部（２）ではほぼ柄の長軸方向と平行となるようにする。ブラシ部の植毛された側の反対側に、柄の先端部を軸として回転できるように嵌合部（３）を設ける。
ブラシ部が脱落しないようにブラシ部の嵌合部（３）付近に溝（４）を設け、柄部の先端部（２）に溝に嵌るような凸部（５）を設けておくか、柄部の先端部（２）の先にフック（６）をつけておく。嵌合部（３）は強度が保てれば上方が開いていても、閉じて筒状になっていてもかまわない。
【図面の簡単な説明】
【０００８】
【図１】  本発明の斜視図である。
【図２】  本発明の側面図である。
【図３】  本発明の断面図である。
【図４】  本発明の右下と左上の奥歯裏側への実施状態図である。
【図５】  本発明の左下と右上の奥歯裏側への実施状態図である。
【符号の説明】
１  柄部の屈曲部分
２  柄部の先端部分
３  ブラシ部の嵌合部分
４  溝
５  溝に嵌る凸部
６  フック
【図１】
2005342459.tif 000003
【図２】
2005342459.tif 000004
【図３】
2005342459.tif 000005
【図４】
2005342459.tif 000006
【図５】
2005342459.tif 000007
(57)【要約】      （修正有）【課題】靴の中で使用するカイロが使用中に移動せず又、入れた所が厚くならない様くぼみのあるポケットを付けその中にカイロを入れ、使用する中敷きを提供する。【解決手段】靴の中敷き１にくぼみ３のあるポケット２を付けその中にカイロ４を入れる。【選択図】図１
2005342458.tif 000002
【特許請求の範囲】
【請求項１】
靴の中敷き（１）にカイロ（４）を入れるくぼみ（３）のあるポケット（２）を付ける。
【発明の詳細な説明】
【発明の明細な説明】
【発明の属する利用分野】
【０００１】靴の中用カイロが、靴の中で移動しない為の靴の中敷き。
【背景技術】
【０００２】従来、靴の中用カイロは、そのまま靴の中に入れ使用するだけであった。
【発明が解決しようとする課題】
【０００３】寒い場所で靴の中を保温をするのに、靴の中用カイロを靴の中に直接入れ使用すると、長靴の様な靴の中が広く余裕のある履き物では、使用中に靴の中で移動を起こし靴の先端部でシワ状になったり、他の場所に移動した事により充分な保温効果得られないし、カイロを入れた所が厚くなり履き心地に違和感がある難点があった。
【課題を解決する為の手段】
【０００４】カイロの移動と厚くなる事を防ぐ為に、靴の中敷き（１）にくぼみ（３）のあるポケット（２）を付けその中にカイロ（４）を入る。
【発明の効果】
【０００５】靴の中敷き（１）にポケット（２）を付け、その中にカイロ（４）を入れ使用する事により靴の中でカイロの移動を防げるので確実に保温効果が得られ、くぼみ（３）のある事で、カイロを入れた所が厚くならない為、違和感のない快適な履き心地を提供できる。
【図１】
2005342458.tif 000003
【図２】
2005342458.tif 000004
【手続補正書】
【提出日】平成16年7月16日(2004.7.16)
【手続補正１】
【補正対象書類名】明細書
【補正対象項目名】全文
【補正方法】変更
【補正の内容】
【発明の詳細な説明】
【発明の属する利用分野】
寒い場所で靴の中を保温をするのに、靴の中用カイロを靴の中に直接入れ使用すると、長靴の様な靴の中が広く余裕のある履き物では、使用中に靴の中で移動を起こし靴の先端部でシワ状になったり、他の場所に移動した事により充分な保温効果得られないし、カイロを入れた所が厚くなり履き心地に違和感がある難点があった。しかし、この中敷きを使用する事により、カイロの移動を防げるので確実に保温効果が得られ、くぼみのある事で、カイロを入れた所が厚くならない為、違和感のない快適な履き心地を提供できる。
【図面の簡単な説明】靴の中敷き（１）の一部に、カイロ（４）を入れる為の、くぼみ（３）のあるポケット（２）を付けてある。【図１】平面図
【図２】断面図  （平面図の断面Ａ−Ａ′）
【符号の説明】
靴の中敷き（１）    ポケット（２）    くぼみ（３）    カイロ（４）
(57)【要約】【課題】  従来から多く使用されている樹脂製の洗濯挟みに係るもので、洗濯物を挟み込むための鉄製のバネを、削減しようとするものである。【解決の手段】  本発明は、高いバネ性を持った樹脂を使用して、一体成形により加工した洗濯挟み１である。この洗濯挟み１は洗濯物を挟み込む銜え口３が開いているが、これは成形金型の製作上での問題で、本発明による樹脂成形上避けられないものであり、洗濯挟み１の円内Ａの逆Ｖ形状から、洗濯挟み２の円内Ｂの平らに近い形状に成るよう、熱を加えた金型を以って押し圧加工することで、洗濯物を挟み込む銜え口３の開きが閉じてバネ圧力が発生して、従来からの洗濯挟みとしての機能が得られる構造。【選択図】              図１
2005342453.tif 000002
【特許請求の範囲】
【請求項１】
合成樹脂を材料に、成形加工された洗濯挟みの構造において、洗濯物を挟み込むためのバネ圧力を、高いバネ性を持った樹脂を材料に用いて、構造的にその高いバネ性を利用出来る形状を開発し、洗濯挟みを一体成形した時に発生する、洗濯物を挟み込む銜え口の少しの隙間を、バネ圧力を得るために閉じる加工を施す。樹脂成形した洗濯挟みの逆Ｖの形状を、逆Ｖの頂点三角部分に、金型に熱を加えて押し圧加工を施すことで、洗濯挟みの逆Ｖの個所を、平らに近い形状にしてやれば、洗濯物を挟み込む銜え口に、洗濯挟みとしての洗濯物を挟み込む、バネ圧力が発生する洗濯挟みの構造。
【請求項２】
上記の洗濯挟みにおいて、摘まみ部両方の内側に設けてある凸部に、補強バネ両端の角穴を挿入して組み込み、洗濯物を挟み込む銜え口の、バネ圧力を増強することで、洗濯物の重量の重い物に、単品で使用する事が出来る洗濯挟みの構造。
【発明の詳細な説明】
【技術分野】
【０００１】  本発明は、合成樹脂製の洗濯挟みの構造に係るものである。
【背景技術】
【０００２】  従来より使用されている樹脂製の洗濯挟みは、同形状の２個を用いて組み立て、洗濯物を挟み込むためのバネ圧力を得るために、Ｃ形等の鉄製の線バネが使用されているものが多く、これがよく錆びて洗濯物に染みを付ける事がよくあった。
【発明の開示】
【発明が解決しようとする課題】
【０００３】  現在も多く使用されている洗濯挟みは、左右一方の形状品を樹脂成形し、左右同形状のものを組み立て、洗濯挟みとして洗濯物を挟み込むバネ圧力を発生させるために、Ｃ形等の鉄製バネが組み込まれている。この組み込まれたバネが問題で、鉄製のために錆止めとして、鍍金が施されてはいるが、屋外で雨ざらしにされている事が多く、鉄製のバネによく錆が発生して、洗濯物に染みとして付着する欠点があった。
【課題を解決するための手段】
【０００４】  本発明は、上記の欠点を解消するために、鉄製のバネを排除した洗濯挟みを提案するものである。【０００５】  現在の合成樹脂は、原材料の製造技術が進歩し、材質的に色々な性能を持った材料が出来ている。この中から、高いバネ性を持った樹脂を材料として使用し、構造的にその高いバネ性を利用出来る形状を開発し、本発明による洗濯挟みを樹脂成形して、洗濯物を挟み込む銜え口にバネ圧力を発生させて、洗濯挟みとしての機能を確保するものである。【０００６】  本発明による洗濯挟みの形状には、樹脂成形した洗濯挟みの逆Ｖの形状が、本発明の重要な部分であり、洗濯物を挟み込むための、バネ圧力が発生する個所である。【０００７】  これは、成形金型を作るにあたって、どうしても避けられない形状であり、洗濯物を挟み込むための銜え口を、少し隙間を空けて成形するためのもので、洗濯挟みの形状は逆Ｖの頂点三角部分を、金型に熱を加えて押し圧することで、洗濯挟みの銜え口は隙間を閉じて、摘まみ部は外側に開き、洗濯挟みの銜え口の隙間は無くなって、洗濯物を挟み込む銜え口にバネ圧力が発生し、洗濯物を挟み込むことが出来るのである。【０００８】  以上で本発明の洗濯挟みが出来るが、これは従来から使用されている一般的の洗濯挟みと同じような物だが、重量の重い洗濯物に使用する時は、複数の洗濯挟みを使用していた。そこで、重い洗濯物を吊るす時等には、上記洗濯挟みの摘まみ部両方の内側に設けられた凸部に、両端に角穴が設けられたＵ形状の補強バネを、洗濯挟みに組み込むことで、重い洗濯物も洗濯挟みが単品で賄える効果がある。
【発明の効果】
【０００９】  上記のように、洗濯挟み全体が樹脂のみで加工されているため、錆びが問題となった鉄製のバネを使用しておらず、何時までも樹脂成形した時点、及び金型に熱を加えての押し圧加工した時点での状態を保って、洗濯挟み１及び２での両方の摘まみ部４を以って、銜え口３の開閉を行うことで、錆びが発生しない洗濯挟みとして、使用することが出来る効果がある。
【発明を実施するための最良の形態】
【００１０】  成形金型によって、成形された洗濯挟み１の丸内Ａの逆Ｖの形状を、洗濯挟み２の丸内Ｂの平らに近い形状に、熱圧加工（熱を一時的に加えた金型で押し圧して平らにする）を行うことで、洗濯挟み１の開いた銜え口３は、洗濯挟み２のように閉じて、銜え口３にバネ圧力が生じて、洗濯物を挟み込むことができる。そして尚、補強バネ７を洗濯挟みの摘まみ部内側の凸部５及び６に、角穴を挿入組み込んで銜え口３のバネ圧力を増強することも出来る。
【実施例】
【００１１】  以上のように、図１は本発明の洗濯挟み１での両方の摘まみ部４を以って、洗濯物を銜え口３を開いて挟みこむことで、従来からの洗濯挟みと同じように使用することが出来きる。又、図３の補強バネ７を洗濯挟みに組み込むことで、重い洗濯物を強力に吊るすことが出来るものである。【００１２】  本発明の洗濯挟みに使用している樹脂材と、従来品の洗濯挟みの樹脂材とを比較してみると、材料だけで見た場合には高くなる。そこで、本発明の図１の洗濯挟みの成形品の丸内Ａでの、逆Ｖの形状部分の厚さを薄くして、熱圧加工を行わず、補強バネ７を洗濯挟みに組み込んで、洗濯物を挟み込む銜え口に、バネ圧力を発生させて、洗濯挟みとすることも可能であり、安価に加工が出来る利点がある。
【図面の簡単な説明】
【００１３】
【図１】本発明による樹脂成形した洗濯挟みの平面図と矢視の部分図
【図２】図１での樹脂成形品の洗濯挟みの丸内Ａを熱圧加工して丸内Ｂとした平面図
【図３】洗濯挟みの挟み込み圧力を強くするための補強バネの平面図と右側面図
【図４】図２での洗濯挟みに補強バネを組み込んだ洗濯挟みの平面図
【符号の説明】
【００１４】１  樹脂成形したままの洗濯挟み
２  洗濯挟みの丸内Ａに熱圧加工を施した洗濯挟み
３  洗濯物を挟み込む銜え口
４  洗濯挟みの摘まみ部
５  補強バネの組み込み部
６  補強バネの組み込み部
７  補強バネ
８  補強バネの双方端部に設けた角穴
９  洗濯挟みを吊るすための穴
【図１】
2005342453.tif 000003
【図２】
2005342453.tif 000004
【図３】
2005342453.tif 000005
【図４】
2005342453.tif 000006
(57)【要約】【課題】引出し収納部の底面に穴部を設け水分が引出しの外へ出るようにした引出し型浴室収納具を提供する。【解決手段】引出し収納部の底面に穴部を設け、引出し収納部受板は引出し収納部の穴部を塞がないことにより、引出しの中の水分を引出しの外に出すことを特徴とした引出し型浴室収納具を提供する。【選択図】図１
2005342445.tif 000002
【特許請求の範囲】
【請求項１】
引出し収納部の底面を含む１面以上の面に穴部を設け、引出し収納部受板は引出し収納部の穴部を塞がないようにした引出し型浴室収納具。
【発明の詳細な説明】
【技術分野】
【０００１】  本発明は引出し収納部底面に穴部を設けた浴室収納具に関するものである。
【背景技術】
【０００２】  従来、浴室収納具はラック型のものがあった。
【発明の開示】
【発明が解決しようとする課題】
【０００３】  そのために、次のような問題点があった。
（イ）浴室内にある石鹸・カミソリ・軽石・シャンプーブラシ・歯磨き粉・スポンジ・タワシなどの小間物が整理しにくかった。
（ロ）入浴中（イ）の小間物が見えて見苦しかった。
本発明はこれらの問題点を解決するためになされたものである。
【課題を解決するための手段】
【０００４】  引出し収納部の底面を含む１面以上の面に穴部を設ける。引出し収納部受板は引出し収納部の穴部を塞がないようにする。以上を特徴とする引出し型浴室収納具。
【発明の効果】
【０００５】  石鹸・カミソリ・軽石・シャンプーブラシ・歯磨き粉・スポンジ・タワシなどの浴室内の小間物が整理しやすく、入浴中シャワーなどの湯や水が引出しに入れた小間物にかかりにくい。また引出しの中にしまえるので、入浴中に煩雑な小間物を視界から消すことができる。しかも、スポンジなど使用したあとすぐに引出しにしまっても水が下に落ちるので、引出しの中やスポンジなどに水分が溜まってしまう心配もない。
【発明を実施するための最良の形態】
【０００６】  以下、本発明の実施の形態について説明する。
（イ）一段以上の引出し収納部の底面（４）に一つ以上の穴部（５）を設ける。
（ロ）各引出し収納部受け板（７）は穴部（５）を塞がないように幅を小さくする。
（ハ）引出し支持体の上面（８）や側面（９）後面（１０）また各引出し収容部の前面（１）には穴部を設けない。
本発明は以上のような構成よりなっている。引出し収納部の底面に穴部を設けることにより引出しの中の水分を引出しの外にだすことができる。また引出し支持体の上面や側面などには穴部を設けないことにより、引出しのなかにシャワーなどの湯や水が入りにくく、石鹸やスポンジなどに湯や水がかからない。
本発明を使用するときには浴室の空いているところへ置くだけでよく、浴室に埋設するなどの手間もかからない。
【実施例】
【０００７】図６に示すように、引出し収納部の底面だけでなく側面や後面に穴部を設けてもよい。
【図面の簡単な説明】
【０００８】
【図１】本発明の一実施例としての斜視図
【図２】図１の正面図
【図３】図１の引出し収納部の平面図
【図４】図１の底面図
【図５】図１の背面図
【図６】他実施例としての引出し収納部の斜視図
【符号の説明】
【０００９】  １  引出し収納部前面
２  引出し収納部取手
３  引出し収納部側面
４  引出し収納部底面
５  引出し収納部穴部
６  引出し収納部後面
７  引出し収納部受板
８  引出し支持体上面
９  引出し支持体側面
１０  引出し支持体後面
【図１】
2005342445.tif 000003
【図２】
2005342445.tif 000004
【図３】
2005342445.tif 000005
【図４】
2005342445.tif 000006
【図５】
2005342445.tif 000007
【図６】
2005342445.tif 000008
(57)【要約】【課題】  本発明は、素手による通常の洗顔で除去しきれない顔面のてかりの原因となる皮脂を、馬毛等の天然毛により、より効果的に除去可能とした洗顔用ブラシである。また、指先にはめることで素手による通常の洗顔と同様の姿勢で洗顔をすることができる上、素手による通常の洗顔と同時にブラシによる洗顔を行うことができる洗顔用ブラシを提供する。【解決手段】  馬毛等の天然毛（２）を、指先にはめることが出来る本体（１）の表面に対し垂直に植え付ける。  本発明は、以上の構成よりなる、指先にはめることで通常の洗顔作業と同様に洗顔が行える洗顔用ブラシである。【選択図】図１
2005342480.tif 000002
【特許請求の範囲】
【請求項１】
馬毛等の天然毛（２）を、指先にはめることができる本体（１）の表面に対し垂直に植えることで、通常の洗顔作業をしながら、皮脂等の汚れが特に気になる箇所をより効果的に洗浄することを可能とした指先装着型洗顔ブラシ。
【発明の詳細な説明】
【発明の詳細な説明】
【技術分野】
【０００１】  本発明は、素手による通常の洗顔で除去しきれない顔面のてかりの原因となる皮脂を、馬毛等の天然毛により、より効果的に除去可能とした洗顔用ブラシに関するものである。
【背景技術】
【０００２】  従来は、指先にはめることで素手による通常の洗顔と同様の姿勢で洗顔をすることができる洗顔用ブラシ、及び素手による通常の洗顔と同時にブラシによる洗顔を行うことができる洗顔用ブラシはなかった。
【発明が解決しようとする課題】
【０００３】  顔面のてかりの原因となる皮脂は、素手による洗顔では充分な除去は難しい。また従来の洗顔用ブラシでは、通常の洗顔と同様の姿勢で洗顔をすることはできなかった他、素手による通常の洗顔と同時にブラシによる洗顔を行うことは困難であった。
本発明は以上の課題を解消するためになされたものである。
【課題を解決するための手段】
【０００４】  馬毛等の天然毛（２）を、指先にはめることが出来る本体（１）の表面に対し垂直に植え付ける。
本発明は、以上の構成よりなる、指先にはめることで通常の洗顔作業と同様に洗顔が行える洗顔用ブラシである。
【発明を実施するための最良の形態】
【０００５】以下、本発明の実施の形態について説明する。
（イ）指先に装着可能な大きさとした本体（１）の表面に、馬毛等の天然毛（２）を垂直に植えつける。
【発明の効果】
【０００６】  馬毛等の天然毛を使用することにより、素手による通常の洗顔では除去が難しい皮脂を効果的に除去可能とする他、指先に装着できる形状とすることで、通常の洗顔と同様の姿勢で洗顔をすることが可能な他、素手による通常の洗顔と同時にブラシによる洗顔を行うことが可能となった。
【図面の簡単な説明】
【図１】  本発明の斜視図である。
【図２】  本発明の正面図である。
【図３】  本発明の側面図である。
【符号の説明】
（１）本体、（２）（馬毛等の天然毛のブラシ）
【図１】
2005342480.tif 000003
【図２】
2005342480.tif 000004
【図３】
2005342480.tif 000005
(57)【要約】      （修正有）【課題】炊飯したご飯が米の芯の芯まで大変にふっくらとした食味の大変良い「ご飯」に炊飯される炊飯器を提供する。【解決手段】炊飯中に電流を炊飯釜を通じて内部の炊飯米に通電した。実験では、炊飯釜内に電極を差し込んで炊飯釜内の炊飯米に通電する方法もとった。「薪」炊飯と同等の炊飯には一定以上の電流が必要である。【選択図】図１
2005342475.tif 000002
【特許請求の範囲】
【請求項１】
炊飯釜内の炊飯米に電流を流しながら炊飯する炊飯器
【発明の詳細な説明】
【技術分野】
【０００１】  本発明は、「薪」炊飯と同様の効果をもつ炊飯を行い芯の芯まで大変に「ふっくら」としたご飯を提供するものである。
【背景技術】
【０００２】  従来の電気炊飯器では、その技術は実際の「薪」を使用した「薪」炊飯の見た目の表面的状態の再現にのみ一歩でも近付けようと努力をなされてきた。火加減（例えば、非特許文献１  三菱電機  三菱ＩＨジャー炊飯器カタログ「沸騰継続」参照）、大火力（例えば、非特許文献２  日立ホームテック  日立ＩＨジャー炊飯器カタログ「大火力」参照）、釜の形状、圧力（例えば、非特許文献３  三洋電機調理器具カタログ２００４年春「可変圧力沸騰」参照）、高温蒸気の付加（例えば、非特許文献４  Ｎａｔｉｏｎａｌ調理器具カタログ２００４年夏「高温スチーム」参照）、等々の要するに「薪」炊飯の表面的観察に基づいた現象を再現しようとするものであった。
【発明の開示】
【発明が解決しようとする課題】
【０００３】  上述したように、その結果いずれの炊飯技術も見た目の再現のみであった故に、その性能はどれも五十歩百歩であった。ただ単純に「薪」炊飯の観察を表面的にいくら行っても「薪」炊飯と「電気」炊飯器とでは、火力を発生させる燃料となる材料材質が全く異なるものであって、そうであれば当然例えば「薪」の燃焼中の炎ないしその周辺での「薪」の燃焼に伴う化学反応、物理的反応等は電気炊飯器とは全く異なるものである。【０００４】  要するに「薪」炊飯を正しく再現するには火加減、釜の形状、熱の伝導、圧力、蒸気の付加等々のみによっては不足で、満足のゆく薪炊飯の再現はされないものである。【０００５】  これらのことが「薪」炊飯の再現にとって実は非常に重要であって、「薪」燃焼中に「薪」に含まれる水分の熱分解、炎のイオン状態、その他燃焼における様々な化学反応等によって炊飯釜に電子の移動があり電流が流れて、これがβデンプンからαデンプンへの変化に大きく決定的に寄与しているのである。
【課題を解決する為の手段】
【０００６】  本発明は従来の炊飯法の欠点を解決する為に炊飯中の炊飯米に電流を流した。
【０００７】  本件発明は、炊飯中炊飯釜に電極を取り付け、炊飯中炊飯釜を通して炊飯中の炊飯米に電流を供給した。従来の電気炊飯器等ＩＨ式の電気炊飯器では炊飯釜にプラズマ電流が発生するがこれはそのほとんど全てが熱に転化してしまい全く不足である。また、このプラズマ電流は熱を釜自体を発熱させるのが目的であるものである。そこで本件発明では炊飯釜に炊飯中の米に電流を流しβデンプンからαデンプンへの転化促進という目的をもって電流を流しながら炊飯した。
【発明の効果】
【０００８】  このように炊飯中の米にβデンプンからαデンプンへの転化促進の為の電流を流すことによって、容易に米はβデンプンからαデンプンへ転化が進み、この炊飯法で炊飯したご飯は米の芯の芯まで大変にふっくらとした食味の大変に良い「ご飯」が炊飯された。
【発明を実施する為の最良の形態】
【実施例】
【０００９】  本発明の実施の形態を図１に基づいて簡潔に説明する。▲１▼は炊飯釜である。これに▲２▼電源からの導線をつなぎ通電しながら炊飯する。【００１０】  実験では主に直流電源を使用した。【００１１】  このように炊飯釜内の米に炊飯釜を通じて電流を流しながら炊飯することによって、「薪」炊飯と同じ芯の芯までふっくらした「ご飯」が炊きあがるものである。
【図面の簡単な説明】
【００１２】
【図１】本発明の実施形態を示す部分断面図
【符号の説明】
【００１３】  ▲１▼は炊飯釜
▲２▼は電源
【図１】
2005342475.tif 000003